【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
ビデオデータを符号化するための方法であって、
少なくとも第１のシンタックス要素および第２のシンタックス要素を含むネットワーク抽象化レイヤ（ＮＡＬ）ユニットを生成すること、を備え、前記第１のシンタックス要素は、前記ＮＡＬユニットが特定の３次元ビデオ、すなわち３ＤＶ、関連ＮＡＬユニットタイプに属することを示す、ここにおいて、
テクスチャビューコンポーネントおよび深度ビューコンポーネントのコード化されたスライスは、前記特定のＮＡＬユニットタイプに属するＮＡＬユニット内にカプセル化されることができ、
前記第２のシンタックス要素は、前記３ＤＶ関連ＮＡＬユニットのＮＡＬユニットヘッダがアドバンスドビデオコーディング、すなわちＡＶＣ、に準拠した３ＤＶヘッダ拡張子を含むのか、マルチビューコーディング、すなわちＭＶＣ、に準拠した３ＤＶヘッダ拡張子を含むのかを示し、ＭＶＣに準拠した３ＤＶは、ＡＶＣのＭＶＣ拡張子に基づき、
前記ＡＶＣに準拠した３ＤＶヘッダ拡張子は、ＡＶＣに準拠した３ＤＶに関連付けられたシンタックス要素を含み、かつ、第１の長さであり、ＡＶＣに準拠した３ＤＶは、ＡＶＣの拡張子であり、
前記ＭＶＣに準拠した３ＤＶヘッダ拡張子は、前記ＡＶＣに準拠した３ＤＶヘッダ拡張子とは異なるシンタックス構造を有し、かつ、前記第１の長さとは異なる第２の長さであり、ＭＶＣに準拠した３ＤＶに関連付けられたシンタックス要素を含む、
方法。
【請求項２】
ビデオデータを復号するための方法であって、
少なくとも第１のシンタックス要素および第２のシンタックス要素を含むネットワーク抽象化レイヤ、すなわちＮＡＬ、ユニットを受信すること、前記第１のシンタックス要素は、前記ＮＡＬユニットが特定の３次元ビデオ、すなわち３ＤＶ、関連ＮＡＬユニットタイプに属することを示し、ここにおいて、テクスチャビューコンポーネントおよび深度ビューコンポーネントのコード化されたスライスは、前記特定のＮＡＬユニットタイプに属するＮＡＬユニット内にカプセル化されることができる、と、
前記第２のシンタックス要素に少なくとも部分的に基づいて、前記３ＤＶ関連ＮＡＬユニットのＮＡＬユニットヘッダがアドバンスドビデオコーディング、すなわちＡＶＣ、に準拠した３ＤＶヘッダ拡張子を含むのか、マルチビューコーディング、すなわちＭＶＣ、に準拠した３ＤＶヘッダ拡張子を含むのかを決定することと、を備え、ここにおいて、
ＭＶＣに準拠した３ＤＶは、ＡＶＣのＭＶＣ拡張子に基づき、
前記ＡＶＣに準拠した３ＤＶヘッダ拡張子は、ＡＶＣに準拠した３ＤＶに関連付けられたシンタックス要素を含み、かつ、第１の長さであり、
ＡＶＣに準拠した３ＤＶはＡＶＣの拡張子であり、
ＭＶＣに準拠した３ＤＶヘッダ３ＤＶ拡張子は、前記ＡＶＣに準拠した３ＤＶヘッダ拡張子とは異なるシンタックス構造を有し、かつ、前記第１の長さとは異なる第２の長さであり、ＭＶＣに準拠した３ＤＶに関連付けられたシンタックス要素を含む、
方法。
【請求項３】
前記ＡＶＣに準拠した３ＤＶヘッダ拡張子は、前記ＮＡＬユニットが、テクスチャビューコンポーネントのコード化されたスライスをカプセル化するのか、深度ビューコンポーネントのコード化されたスライスをカプセル化するのかに関わらず同じであるシンタックス構造を有する、請求項１または２に記載の方法。
【請求項４】
前記ＮＡＬユニットがＭＶＣに準拠した３ＤＶヘッダ拡張子を含む場合、前記ＮＡＬユニットは、テクスチャビューコンポーネントのコード化されたスライスをカプセル化せず、
前記ＮＡＬユニットは、深度ビューコンポーネントのコード化されたスライスをカプセル化し、
前記深度ビューコンポーネントの前記コード化されたスライスは、前記ＮＡＬユニットが前記ＡＶＣに準拠した３ＤＶヘッダ拡張子を含む場合、第１のシンタックス構造を有し、前記ＮＡＬユニットが前記ＭＶＣに準拠した３ＤＶヘッダ拡張子を含む場合、第２のシンタックス構造を有し、前記第２のシンタックス構造は、前記第１のシンタックス構造とは異なる、請求項１または２に記載の方法。
【請求項５】
前記ＮＡＬユニットは、第１のＮＡＬユニットであり、前記特定のＮＡＬユニットタイプは、第１のＮＡＬユニットタイプであり、前記ＭＶＣに準拠した３ＤＶヘッダ拡張子は、第１のＭＶＣに準拠した３ＤＶヘッダ拡張子であり、前記方法はさらに、
第２のＮＡＬユニットを生成すること、を備え、前記第２のＮＡＬユニットは、第２のＮＡＬユニットタイプに属し、前記第２のＮＡＬユニットのＮＡＬユニットヘッダは、第２のＭＶＣに準拠した３ＤＶヘッダ拡張子を含み、前記第２のＭＶＣに準拠した３ＤＶヘッダ拡張子は、前記第１のＭＶＣに準拠した３ＤＶヘッダ拡張子と同じシンタックス構造を有し、前記第２のＮＡＬユニットはテクスチャビューコンポーネントのコード化されたスライスをカプセル化する、請求項１に従属する場合の請求項４に記載の方法。
【請求項６】
前記第１のシンタックス要素は、前記ＮＡＬユニットがプリフィックスＡＶＣに基づく３ＤＶ  ＮＡＬユニットであることを示す、請求項１に記載の方法。
【請求項７】
前記第２のシンタックス要素は、前記ＡＶＣに準拠した３ＤＶヘッダ拡張子または前記ＭＶＣに準拠した３ＤＶヘッダ拡張子に直接先行する、請求項１または２に記載の方法。
【請求項８】
前記ＮＡＬユニットは、テクスチャビューコンポーネントのスライスのコード化された表現および第３のシンタックス要素を含み、前記第３のシンタックス要素は、前記テクスチャビューコンポーネントのビューインデックスを示し、ここにおいて、前記ビデオデータが第１のデコーダプロファイルのために符号化される場合、前記第３のシンタックス要素は、前記ビデオデータが第２のデコーダプロファイルのために符号化される場合よりも小さな数のビットを、前記ＮＡＬユニットのＮＡＬユニットヘッダに包含する、請求項１または２に記載の方法。
【請求項９】
前記ＮＡＬユニットは、第１のＮＡＬユニットであり、前記特定のＮＡＬユニットタイプは、第１のＮＡＬユニットタイプであり、前記ＭＶＣに準拠した３ＤＶヘッダ拡張子は、第１のＭＶＣに準拠した３ＤＶヘッダ拡張子であり、前記方法はさらに、
第２のＮＡＬユニットを受信すること、を備え、前記第２のＮＡＬユニットは、第２のＮＡＬユニットタイプに属し、前記第２のＮＡＬユニットのＮＡＬユニットヘッダは、第２のＭＶＣに準拠した３ＤＶヘッダ拡張子を含み、前記第２のＭＶＣに準拠した３ＤＶヘッダ拡張子は、前記第１のＭＶＣに準拠した３ＤＶヘッダ拡張子と同じシンタックス構造を有し、前記第２のＮＡＬユニットはテクスチャビューコンポーネントのコード化されたスライスをカプセル化する、請求項２に従属する場合の請求項４に記載の方法。
【請求項１０】
前記第２のシンタックス要素が、前記ＮＡＬユニットが前記ＡＶＣに準拠した３ＤＶヘッダ拡張子を含むことを示すと決定することに応じて、前記ＡＶＣに準拠した３ＤＶヘッダ拡張子に少なくとも部分的に基づいて前記ビデオデータの少なくとも一部を再構築することと、
前記第２のシンタックス要素が、前記ＮＡＬユニットの前記ＮＡＬユニットヘッダが前記ＭＶＣに準拠した３ＤＶヘッダ拡張子を含むことを示すと決定することに応じて、前記ＭＶＣに準拠した３ＤＶヘッダ拡張子に少なくとも部分的に基づいて前記ビデオデータの少なくとも一部を再構築することと、
をさらに備える、請求項２に記載の方法。
【請求項１１】
前記方法はさらに、前記第１のシンタックス要素に基づいて、前記ＮＡＬユニットがプリフィックスＡＶＣに準拠した３ＤＶ  ＮＡＬユニットであると決定することを備える、請求項２に記載の方法。
【請求項１２】
ビデオデータを符号化するビデオ符号化デバイスであって、前記ビデオ符号化デバイスは、
少なくとも第１のシンタックス要素および第２のシンタックス要素を含むネットワーク抽象化レイヤ、すなわちＮＡＬ、ユニットを生成するための手段、を備え、前記第１のシンタックス要素は、前記ＮＡＬユニットが特定の３次元ビデオ、すなわち３ＤＶ、ＮＡＬユニットタイプに属することを示し、ここにおいて、
テクスチャビューコンポーネントおよび深度ビューコンポーネントのコード化されたスライスは、前記特定のＮＡＬユニットタイプに属するＮＡＬユニット内にカプセル化されることができ、
前記第２のシンタックス要素は、前記３ＤＶ関連ＮＡＬユニットのＮＡＬユニットヘッダがアドバンスドビデオコーディング、すなわちＡＶＣ、に準拠した３ＤＶヘッダ拡張子を含むのか、マルチビューコーディング、すなわちＭＶＣ、に準拠した３ＤＶヘッダ拡張子を含むのかを示し、ＭＶＣに準拠した３ＤＶは、ＡＶＣのＭＶＣ拡張子に基づき、
前記ＡＶＣに準拠した３ＤＶヘッダ拡張子は、ＡＶＣに準拠した３ＤＶに関連付けられたシンタックス要素を含み、かつ、第１の長さであり、ＡＶＣに準拠した３ＤＶは、ＡＶＣの拡張子であり、
前記ＭＶＣに準拠した３ＤＶヘッダ拡張子は、前記ＡＶＣに準拠した３ＤＶヘッダ拡張子とは異なるシンタックス構造を有し、かつ、前記第１の長さとは異なる第２の長さであり、ＭＶＣに準拠した３ＤＶに関連付けられたシンタックス要素を含む、
ビデオ符号化デバイス。
【請求項１３】
ビデオデータを復号するビデオ復号デバイスであって、前記ビデオ復号デバイスは、
少なくとも第１のシンタックス要素および第２のシンタックス要素を含むネットワーク抽象化レイヤ、すなわちＮＡＬ、ユニットを受信するための手段であり、前記第１のシンタックス要素は、前記ＮＡＬユニットが特定の３次元ビデオ、すなわち３ＤＶ、関連ＮＡＬユニットタイプに属することを示し、ここにおいて、テクスチャビューコンポーネントおよび深度ビューコンポーネントのコード化されたスライスは、前記特定のＮＡＬユニットタイプに属するＮＡＬユニット内にカプセル化されることができる、手段と、
前記第２のシンタックス要素に少なくとも部分的に基づいて、前記３ＤＶ関連ＮＡＬユニットのＮＡＬユニットヘッダがアドバンスドビデオコーディング、すなわちＡＶＣ、に準拠した３ＤＶヘッダ拡張子を含むのか、マルチビューコーディング、すなわちＭＶＣ、に準拠した３ＤＶヘッダ拡張子を含むのかを決定するための手段、ここにおいて、
ＭＶＣに準拠した３ＤＶは、ＡＶＣのＭＶＣ拡張子に基づき、
前記ＡＶＣに準拠した３ＤＶヘッダ拡張子は、ＡＶＣに準拠した３ＤＶに関連付けられたシンタックス要素を含み、かつ、第１の長さであり、
ＡＶＣに準拠した３ＤＶはＡＶＣの拡張子であり、
前記ＭＶＣに準拠した３ＤＶヘッダ拡張子は、前記ＡＶＣに準拠した３ＤＶヘッダ拡張子とは異なるシンタックス構造を有し、かつ前記第１の長さとは異なる第２の長さであり、ＭＶＣに準拠した３ＤＶに関連付けられたシンタックス要素を含む、
を備えるビデオ復号デバイス。
【請求項１４】
命令を記憶するコンピュータ可読記憶媒体であって、ビデオ符号化デバイスの１つまたは複数のプロセッサによって実行されるとき、前記命令は、請求項１または３乃至８のいずれか１項に記載の方法を実行するように前記ビデオ符号化デバイスを構成する、コンピュータ可読記憶媒体。
【請求項１５】
命令を記憶するコンピュータ可読記憶媒体であって、ビデオ復号デバイスの１つまたは複数のプロセッサによって実行されるとき、前記命令は、請求項２乃至４または６乃至１１のいずれか１項に記載の方法を実行するように前記ビデオ復号デバイスを構成する、コンピュータ可読記憶媒体。